(57)【要約】【課題】プラズマディスプレイ装置において、様々なメディアへの接続要求を満たすようにユーザーの要求に応じて入力端子を入れ替えることができるようにすることを目的とするものである。【解決手段】プラズマディスプレイパネル１に信号を印加して表示を行う表示駆動回路２を備えた本体部と、前記表示駆動回路２に入力する映像信号に対応するビデオ信号入力処理回路７及びこのビデオ信号入力処理回路７に関する情報を記憶したＲＯＭ８からなる入力信号装置６とを有し、前記入力信号装置６を複数種類の映像信号に応じて複数準備し、かつその入力信号装置６を前記本体部に着脱可能とした。【選択図】  図１
2004151306.tif 000002
【特許請求の範囲】
【請求項１】
プラズマディスプレイパネルに信号を印加して表示を行う表示駆動回路を備えた本体部と、前記表示駆動回路に入力する映像信号に対応する映像信号処理回路及びこの映像信号処理回路に関する情報を記憶した不揮発性メモリーからなる入力信号装置とを有し、前記入力信号装置を複数種類の映像信号に応じて複数準備し、かつその入力信号装置を前記本体部に着脱可能としたことを特徴とするプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
一般的に、プラズマディスプレイ装置は映像を映すための信号を入力するための入力端子を備え、この入力端子に各種の映像信号を入力信号として入力し、適切に処理することで映像を表示することが行われている（特許文献１参照）。
【０００５】
【特許文献１】
特開平１１−２８２４４３号公報
【０００６】
【発明が解決しようとする課題】
近年、様々なメディアが普及することにより、プラズマディスプレイ装置においてもこれら様々なメディアに対応をする要求が高まって来ている。従来からあるコンポジットビデオ信号の他に、色差ビデオ信号、ＲＧＢビデオ信号、デジタルビデオ信号などがそれである。
【０００７】
しかしながら、このようなプラズマディスプレイ装置においては、その薄型省スペースであるが故に、入力端子を様々な要求に応えて備えることができる十分なスペースがないという課題があった。
【０００８】
本発明はこのような課題を解決し、様々なメディアへの接続要求を満たすようにユーザーの要求に応じて入力端子を入れ替えることができるようにすることを目的とするものである。
【０００９】
【課題を解決するための手段】
上記目的を達成するために本発明のプラズマディスプレイ装置は、プラズマディスプレイパネルに信号を印加して表示を行う表示駆動回路を備えた本体部と、前記表示駆動回路に入力する映像信号に対応する映像信号処理回路及びこの映像信号処理回路に関する情報を記憶した不揮発性メモリーからなる入力信号装置とを有し、前記入力信号装置を複数種類の映像信号に応じて複数準備し、かつその入力信号装置を前記本体部に着脱可能としたものである。
【００１０】
【発明の実施の形態】
以下、本発明の一実施の形態によるプラズマディスプレイ装置について、図面を用いて説明する。
【００１１】
図１に本発明の一実施の形態によるプラズマディスプレイ装置における回路ブロックの構成を示し、図２に図１の入力端子部分を入れ替えた場合の実施の形態を示している。図において、１はプラズマディスプレイパネルであり、このプラズマディスプレイパネル１は、スキャン電極及びサステイン電極の電極群を形成した前面パネルと、アドレス電極、隔壁及び蛍光体層を形成した背面パネルとからなり、これらの前面パネルと背面パネルを微小な放電空間を挟んで対向配置するとともに、周囲を封止し、そして放電空間にヘリウム、ネオン、アルゴン、キセノンのうちの一種または混合ガスが放電ガスとして封入することにより構成されている。また、放電空間は、隔壁によって複数の区画に仕切ることにより複数の放電セルが設けられ、その各放電セルには、赤色、緑色及び青色となるように蛍光体層が一色ずつ順次配置されている。
【００１２】
このような構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものであり、２はそのための表示駆動回路である。
【００１３】
表示駆動回路２では、一般に、放電制御タイミング発生回路により、水平同期信号および垂直同期信号を基準として、放電制御タイミング信号を発生し、各々スキャンドライバ回路、サステインドライバ回路に与え、放電制御タイミング信号に応答して、プラズマディスプレイパネル１の複数のスキャン電極、サステイン電極に駆動信号電圧を供給する。また、プラズマディスプレイパネル１のアドレス電極には表示駆動回路のアドレスドライバ回路が接続されており、信号処理回路３において、走査数変換、サブフィールド変換が行われた画像データ信号に基づく電圧が供給される。
【００１４】
４はプラズマディスプレイ装置全体の動作を制御するための制御マイコンである。また、５は信号処理回路３に入力する信号を切り替える入力切替回路で、入力信号装置６から映像信号が入力される。
【００１５】
これらのプラズマディスプレイパネル１、表示駆動回路２、信号処理回路３、制御マイコン４及び入力切替回路５により、プラズマディスプレイ装置の本体部が構成されている。そして、この本体部に対して、入力信号装置６が着脱可能に取り付けられる。
【００１６】
ここで、入力信号装置６について説明すると、図１に示すように、入力信号装置６は、コンポジットビデオ信号の入力端子６ａと色差ビデオ信号の入力端子６ｂとを備え、入力端子６ａに入力されたコンポジットビデオ信号は、ビデオ信号入力処理回路７に入力され、ここで色信号に復調される。また、入力信号装置６は、この入力信号装置６の制御情報を記憶している不揮発性メモリーであるＲＯＭ８を備えており、このＲＯＭ８に記憶されている制御情報は、バスラインを通じて制御マイコン４に送られ、制御マイコン４では、その情報に基づき、本体部に取り付けた入力信号装置６がどのような端子を備えているかが判別される。
【００１７】
入力信号装置６からの信号は、入力切替回路２に入力され、信号処理回路３でプラズマディスプレイパネル１の表示のための信号処理が行われ、プラズマディスプレイパネル１の表示駆動回路２に入力される。
【００１８】
ところで、入力端子に備えていないデジタルビデオの信号を入力したいという要望があった場合、入力信号装置６を取り外し、図２に示すように、別の入力信号装置９を接続する。この入力信号装置９は、ＤＶ信号処理回路１０とデジタルビデオ信号の入力端子９ａを備えている。また、この入力信号装置９は、先の図１で説明したコンポジットビデオ信号処理とは異なった制御が必要となるが、この情報は、入力信号装置９のＲＯＭ１１に記憶されており、このＲＯＭ１１に記憶されている制御情報をバスラインを通じて制御マイコン４が読み出すことにより、本体部側で入力信号に応じた制御を行うことができる。
【００１９】
すなわち、従来のプラズマディスプレイ装置であれば、予め考慮されている入力、例えばコンポジットビデオ入力、色差ビデオ入力、ＲＧＢビデオ信号入力などへの対応の要望があった場合、入力端子部分の設計をやり直さなければならなかったが、本発明においては、入力端子部分をユーザーの要望により入れ替え、その入れ替えた入力端子部分の制御に関しても適宜行うことができる構成とすることにより、様々なメディアへの対応を要求された際にも柔軟に対応することができる。
【００２０】
また、入力信号装置６、９にこの制御を行うための制御情報を記憶したＲＯＭ８、１１を備えておき、これをプラズマディスプレイ装置の本体部の制御マイコン４から読みとり、適宜処理、実行することにより、入れ替えた端子機能の動作を適切に行うことができる。
【００２１】
【発明の効果】
以上の説明から明らかなように、本発明にかかるプラズマディスプレイ装置によれば、様々な入力信号に対応する際に予めそれらの信号への入力機能を備えておかなくても、入力信号装置を入れ替えれば、即座に新たな信号への対応が可能であり、プラズマディスプレイ装置の省スペース性を損なうことなくユーザーの様々な信号を入力したいと言う要求に応えることができる。
【図面の簡単な説明】
【図１】本発明の一実施の形態におけるプラズマディスプレイ装置を示すブロック図
【図２】図１の例において入力端子機能を入れ替えた場合のプラズマディスプレイ装置を示すブロック図
【符号の説明】
１  プラズマディスプレイパネル
２  表示駆動回路
３  信号処理回路
４  制御マイコン
５  入力切替回路
６、９  入力信号装置
７  ビデオ信号入力処理回路
８、１１  ＲＯＭ
１０  ＤＶ信号処理回路
【図１】
2004151306.tif 000003
【図２】
2004151306.tif 000004